(57)【要約】【課題】装着時に好ましくない皺が発生したりする虞が無く、着用時は不快感や圧迫感を感じさせずに、動いた場合などにも締付感を感じさせず、追随性も良好で、若い人から年配者に至るまで使用感が良好で機能性と補整機能を兼ね備えたブラジャーを提供する。【解決手段】左右のカップ部１２の上縁部に一端が接続され、他端が背中側に回される肩紐１４の途中にリング状部材１６を配設することにより、肩紐１４をリング状部材１６を介して少なくともカップ側の第１の部分１８と背中側の第２の部分２０とに分割して構成するとともに、リング状部材１６に補助紐１４を移動可能に挿通し、当該補助紐１４の両端部を肩紐１４の付け根部分の両側に取り付けすることにより、カップ部を肩紐１４の第１の部分１８と、リング状部材１６を介して移動可能にされた補助紐１４の一方の端部側部分２２ａと、他方の端部側部分２２ｂとの３つの紐状部分により支持するように構成したことを特徴とする。【選択図】図１
0003122949.tif 000002
【実用新案登録請求の範囲】
【請求項１】
左右のカップ部の上縁部に一端が接続され、他端が背中側に回される肩紐の途中にリング状部材を配設することにより、前記肩紐を前記リング状部材を介して少なくともカップ側の第１の部分と背中側の第２の部分とに分割して構成するとともに、前記リング状部材に補助紐を移動可能に挿通し、当該補助紐の両端部を前記肩紐の前記付け根部分の両側に取り付けすることにより、前記カップ部を前記肩紐の第１の部分と、前記リング状部材を介して移動可能に構成された前記補助紐の一方の端部側部分と、他方の端部側部分との３つの紐状部分により支持するように構成したことを特徴とするブラジャー。
【請求項２】
前記肩紐の第１の部分と、前記補助紐の一方の端部側部分と他方の端部側部分とが、自然状態で前記第１の部分を中心として左右略対称形の三角形を形成していることを特徴とする請求項１に記載のブラジャー。
【考案の詳細な説明】
【技術分野】
【０００１】
本考案はブラジャーに関するもので、詳しくは、使用者のバストを形良く整えるとともに使用者に不快感や圧迫感を感じさせずに、動いた場合などの追随性が良好で、しかも寄せ上げなどの補正機能を有するブラジャーに関する。
【背景技術】
【０００２】
女性用衣類としてのブラジャーは、特に、機能性と美観性との要求が高い衣類の一つである。若い人の間では、近年「寄せ」「上げ」などの補正機能が重視されている一方で、年配の人の間では、不快感や圧迫感のない装着性や快適性が求められている。
【０００３】
さらに、身体が発達中のティーンエイジャーや妊産婦は、バストに強い圧迫が加わるのは好ましくなく、また高齢になった女性は、着用感に対する感覚が敏感になるため、緩やかな着用感のものを好むようになる。
【０００４】
例えば、このような要求のあるブラジャーとして、特許文献１に開示されたものがある。このブラジャーでは、図５に示したように、芯部材を内在させた補強部材６Ａ、６Ｂ、６Ｃが、上カップ１１と下カップ１２からなる左右一対のカップ部１の上端から土台部２の下端に向かってストライプ状に設けてある。そして、これら補強部材６Ａ、６Ｂ、６Ｃより上端側に、肩紐４の一端が縫着されている。
【０００５】
このようなブラジャーでは、土台部２を横方向に引っぱれば、土台部２の伸びに応じて補強部材６Ａ、６Ｂ、６Ｃの下端側がそれぞれの脇側に引かれ、反作用として補強部材６Ａ、６Ｂ、６Ｃの上端側では前中心側に押されるので、バストを下側から前中心の方向に寄せる力が作用する。よって、着用状態で土台部２を横方向に引く力を、カップ部１を上方に持上げる力に変換し、造形性と保形性が実現できるとしている。
【特許文献１】特開２００３−１７１８０９号公報
【考案の開示】
【考案が解決しようとする課題】
【０００６】
ところで、特許文献１の補正機能付きブラジャーでは、土台部２を横方向に引っ張った場合の３本の補強部材６Ａ、６Ｂ、６Ｃに対する力の係り具合が異なるため、カップ部１の上端部付近に皺が発生し易く、外見上好ましくないラインが露見するという問題があった。
【０００７】
また、ボリュームのあるバストの場合は、常に補強部材からの反発力がバストに作用する。さらに、それ程ボリュームがなくても着用者の姿勢が動いたときなどには、補強部材からの反発力がバストに作用し、使用者に締付感を感じさせるという問題があった。
【０００８】
本考案は、このような従来の問題点に鑑み、装着時に好ましくない皺が発生する虞が無く、ボリュームのあるバストあるいはバストにそれ程ボリュームがなくても着用時に不快な反発力や締付感を感じさせず、しかも装着者の姿勢が動いた場合などにも、追随性も良好で、若い人から年配者に至るまで使用感が良好なブラジャーを提供することを目的としている。
【課題を解決するための手段】
【０００９】
本考案に係るブラジャーは、左右のカップ部の上縁部に一端が接続され、他端が背中側に回される肩紐の途中にリング状部材を配設することにより、前記肩紐を前記リング状部
材を介して少なくともカップ側の第１の部分と背中側の第２の部分とに分割して構成するとともに、前記リング状部材に補助紐を移動可能に挿通し、当該補助紐の両端部を前記肩紐の前記付け根部分の両側に取り付けすることにより、前記カップ部を前記肩紐の第１の部分と、前記リング状部材を介して移動可能に構成された前記補助紐の一方の端部側部分と、他方の端部側部分との３つの紐状部分により支持するように構成したことを特徴としている。
【００１０】
このように本考案に係るブラジャーでは、通常の肩紐と移動自在な補助紐との３本の紐状部分によりカップ部上部を支持するようにした。したがって、両側の２本の補助紐部分がバストの上部分を効果的に締付け、締付けた部分の贅肉を丸みの必要な部分に移動させることができる。したがって、バストアップする補整機能を発揮させることができる。
【００１１】
さらに、姿勢の移動時における追随性は、補助紐がリング状部材を介して移動可能であるので、補助紐の両端部分により追随性が良好に発揮されるとともに、土台部分を横方向に引っ張れば、中央部分を真中中央よりに寄せることができる。また、自然状態では、３本の紐状部分でバストを支えることができる。
【００１２】
ここで、本考案では、前記肩紐の第１の部分と、前記リング状部材に挿通された前記補助紐の一方の端部側部分と他方の端部側部分とが、自然状態で前記第１の部分を中心として左右対称形の三角形を形成していることが好ましい。
【００１３】
係る構成による本考案によれば、バストのどの部分にも無理な力が作用したりすることはなく、均等のとれた状態で支持することができる。したがって、妊婦やティーンエイジャーであっても装着感が良く、無理な圧迫感なども作用することがない。
【考案の効果】
【００１４】
本考案に係るブラジャーによれば、二股に分かれた補助紐に当接する部分の贅肉を、丸みを必要とする部分に移動させることができるので豊胸機能を発揮させることができる。
また、着用した時に３本の紐状部分によりバストの荷重を配分して支持するようにしているので、部分的に無理な力が作用することがない。しかも補助紐はリング状部材を介して移動可能であるので、追随性が良好である。よって、装着時や姿勢の移動時に不快感や圧迫感、締付感を感じさせることはなく、装着感は良好である。
【考案を実施するための最良の形態】
【００１５】
以下に、図面に示した実施例について説明する。
図１は本考案の一実施例に係るブラジャーを示したものである。
このブラジャー１０では、左右のカップ部１２の上縁部から背中側に向けて肩紐１４、１４が具備されている。さらに、肩紐１４の途中には、リング状部材１６が配設されている。このリング状部材１６は、金属あるいはプラスチック樹脂などから形成されている。このようなリング状部材１６が肩紐１４の途中に介在されることにより、両肩の肩紐１４は、カップ部１２側の第１の部分１８と、背中側の第２の部分２０とに分割して構成されている。
【００１６】
一方、リング状部材１６には、補助紐２２が移動可能に挿通されている。そして、当該補助紐２２の両端部は、肩紐１４の付け根部分の両側に縫着されている。そして、この補助紐２２は、胸の中央側の一方の端部側部分２２ａと、胸の脇側の他方の端部側部分２２ｂとに画成されている。
【００１７】
このように、肩紐１４の他に、補助紐２２の中間部分がリング状部材１６に挿通されたブラジャー１０では、補助紐２２の一方の端部側部分２２ａと他方の端部側部分２２ｂと
肩紐１４の第１の部分１８との三角形が背中合わせをなすように配置されるが、ここに形成される三角形は、略対称形をなすように構成されている。
【００１８】
本実施例によるブラジャー１０は、上記のように構成されているが、以下に作用について説明する。
先ず、図２に示したように、肩紐１４を肩に通しただけの仮装着状態では、カップ部１２が左右にやや開いた状態にある。この状態から、女性のバストをカップ部１２で包むとともに、背中側のホックを留めると、フロントのまん中を中心にして左右のカップ部１２、１２が近づきバストの谷間が形成される。
【００１９】
そして、図３に示したように、それぞれ３本の紐状部分２２ｂ、１８、２２ａが、バストをしっかりと持上げることで、バストアップを図ることができる。また、補助紐２２の一方の端部側部分２２ａと他方の端部側部分２２ｂとが胸肉の上部を押えるように当接するが、この当接により盛り上がった贅肉を丸みを必要とする箇所に移動させることができる。したがって、これによっても一層のバストアップを図ることができ、理想的なバストの形に近づけることが可能になる。さらには、高齢者の垂れ下がったバストも形を整えて十分に引き上げることができる。
【００２０】
さらに、図４に示したように、３本の紐状部分１８、２２ａ、２２ｂにより、どのように姿勢が移動したとしても、その部分のバストを持上げて全体のバストの形を略均等に整えることができる。よって形の良い丸いバストの形を維持することができる。
【００２１】
以上、本考案の一実施例によるブラジャーについて説明したが、本考案は上記実施例に何ら限定されない。
例えば、本考案は、いわゆるフロントホックのブラジャーにも適用可能である。
【００２２】
また、リング状部材１６は丸形に限定されず、四角形の孔であっても良い。
さらに、上記実施例では、ブラジャー本体の素材については何ら言及していないが、素材の生地、柄、あるいは補強繊維の混入の有無などは限定されるものではない。また、本考案は、カップ部を有する女性用衣類であれば、ボディスーツのようなファンデーションにも適用可能なのはいうまでもない。
【図面の簡単な説明】
【００２３】
【図１】図１は本考案の一実施例によるブラジャーを装着した状態の概略図である。
【図２】図２は、同実施例によるブラジャーを仮装着したときの概略図である。
【図３】図３は、同実施例によるブラジャーを背中側のホックを取り付けたときの概略図である。
【図４】図４は同実施例によるブラジャーがバストの形を整える機能を示す概略図である。
【図５】図５は特開２００３−１７１８０９号公報に開示された従来のブラジャーを示した概略図である。
【符号の説明】
【００２４】
１０    ブラジャー
１２    カップ部
１４    肩紐
１６    リング状部材
１８    肩紐の第１の部分
２０    肩紐の第２の部分
２２    補助紐
２２ａ  一方の端部側部分
２２ｂ  他方の端部側部分
【図１】
0003122949.tif 000003
【図２】
0003122949.tif 000004
【図３】
0003122949.tif 000005
【図４】
0003122949.tif 000006
【図５】
0003122949.tif 000007